(57)【要約】【課題】基礎代謝量、筋肉量、内臓脂肪量および運動量の関係を容易に示すことが可能な基礎代謝量モデルを提供する。【解決手段】ハンドル５３を操作することにより、ハンドル５３が指し示す基礎代謝量表示５１、筋肉量表示５２、運動量表示５４が変化するとともに表示窓５５に表示される内臓脂肪量モデルが変化する。そのため、基礎代謝量、筋肉量、内臓脂肪量および運動量の関係を視覚的に表示することができるため、容易にこれらの関係を把握することが可能となる。【選択図】図９
2007279496.tif 000002
【特許請求の範囲】
【請求項１】
基礎代謝量の変化を例示した基礎代謝量表示と、筋肉量の変化を例示した筋肉量表示と、内臓脂肪量の変化を例示した内臓脂肪量表示と、運動量の変化を例示した運動量表示が、それぞれ対応付けられて所定の位置に現されている台座部と、
前記基礎代謝量表示を表示するための第１の表示窓と、前記筋肉量表示を表示するための第２の表示窓と、前記内臓量表示を表示するための第３の表示窓と、前記運動量表示を表示するための第４の表示窓とが設けられていて、前記台座部上を移動することにより前記第１および第４の表示窓に表示される基礎代謝量表示、筋肉量表示、内臓脂肪量表示、運動量表示を順次切り替える可動部と、
を有する基礎代謝量モデル。
【請求項２】
基礎代謝量の変化を例示した基礎代謝量表示と、筋肉量の変化を例示した筋肉量表示と、運動量の変化を例示した運動量表示が、それぞれ対応付けられて所定の位置に現されている表示部と、
可動することにより前記表示部上の基礎代謝量表示、筋肉量表示、運動量表示を指し示す操作手段と、
前記操作手段の位置に応じて可動することにより内臓脂肪量の変化を例示する内臓脂肪量表示手段と、
を有する基礎代謝量モデル。
【請求項３】
前記筋肉量表示は、濃度または色彩により赤筋の筋肉量を例示する請求項１または２記載の基礎代謝量モデル。
【発明の詳細な説明】
【技術分野】
【０００１】
本発明は、基礎代謝量、筋肉量、内臓脂肪量、運動量の関係を説明するための基礎代謝量モデルに関する。
【背景技術】
【０００２】
近年、食事の欧米化や運動不足に伴い、肥満症、高血圧症、糖尿病、高脂血症などの生活習慣病にかかる人が増加している。最近の研究では、これらの生活習慣病は、それぞれが独立した別の原因で発症するのではなく内臓脂肪型肥満により誘発されることが分かってきている。このように、内臓脂肪蓄積によりさまざまな病気が引き起こされた状態は、メタボリックシンドローム（内臓脂肪症候群）と呼ばれて注目されるようになっている。
【０００３】
このメタボリックシンドロームに陥った人は、心筋梗塞や脳梗塞などの動脈硬化性疾患の危険性が高まるため、治療の対象として考えられるようにさえなってきている。
【０００４】
ここで、内臓脂肪とは、腹腔内の腸間膜や大網組織に蓄積した脂肪のことを示していて、皮下脂肪等は含まれない。そして、内臓脂肪は普通預金に例えられ皮下脂肪は定期預金に例えられるように、脂肪の燃焼が必要になった場合には内臓脂肪から先に燃焼されるという性質を有している。
【０００５】
一般的に、脂肪を燃焼して脂肪量を減らすためには運動を行うことを思いつく。しかし、時間に追われる日常生活の中で継続して運動を行うことは簡単なことではない。そのため、このような内臓脂肪を減らしてメタボリックシンドロームを抑制するためには、運動をしていなくても消費されるエネルギー量である基礎代謝量を増やすことが効果的である。基礎代謝は睡眠中でも脂肪を燃焼させるため、基礎代謝量が増加すると、意識して運動をしなくても消費されるエネルギー量が増加し燃焼される脂肪量が増えるからである。そして、この基礎代謝量を増やすには、筋肉量を増やすことが有効であることが知られている。
【０００６】
しかし、基礎代謝量を増やすためには、筋肉量をただ単に増やせばいいというものではない。基礎代謝量は、増やす筋肉の種類にも大きく影響されるからである。
【０００７】
筋肉（運動筋）には、白筋と赤筋の２種類が存在する。赤筋（遅筋）は、瞬発的な運動や大きな力を発生することはできないが、長時間運動することが可能な筋肉である。また、白筋（速筋）は、長時間継続するような運動には向かないが、瞬発的な運動や大きな力を発生することに優れている筋肉である。例えば、マラソンのような運動には赤筋が主に使用され、短距離走のような運動には白筋が主に使用される。そして、赤筋のエネルギー源は脂肪であるのに対して、白筋のエネルギー源はグリコーゲンである。
【０００８】
そのため、基礎代謝量を増やして内臓脂肪量を減らすためには、脂肪をエネルギー源とする赤筋の筋肉量を増やすことが効果的である。そして、赤筋の筋肉量を増やすためには、呼吸をしっかり行って酸素を体内に取り込みつつ軽い運動を継続して行う有酸素運動を行うことが必要である。
【０００９】
このような有酸素運動を行って赤筋の筋肉量を増やして基礎代謝量を増やすことにより内臓脂肪量が抑制され、メタボリックシンドロームに陥ることを防ぐことが可能となる。
【００１０】
しかし、一般的な人は、上述したような知識が不足しているため、太りすぎを防止しようとした場合、無理な食事制限を行って最も目立ち易い体重を減らすことばかりに目がいってしまう。しかし、運動をしないで食事量を減らしただけでは、かえって筋肉量を落として基礎代謝量を減らしてしまうことになり、食事制限を止めたとたん以前よりも内臓脂肪が増加してしまうという悪循環を生む可能性もある。また、ハードな筋肉トレーニングばかりを行って白筋の筋肉量ばかりを増加させるような運動ばかりを行ってしまう場合もあり得る。
【００１１】
そのため、健康な状態を維持してメタボリックシンドロームに陥らないためには、基礎代謝量、筋肉量（特に赤筋肉量）、内臓脂肪量および運動量との関係がどのようになっているかという知識を広める必要がある。
【００１２】
近年では健康志向の高まりとともに基礎代謝量や内臓脂肪量が注目されるようになっている。そのため、被測定者の生体電気インピーダンスを測定することにより基礎代謝量、内臓脂肪量を推定し、これらの値を標準値と比較して被測定者の結果を表示する測定装置が提案されている（例えば、特許文献１、２参照。）。
【００１３】
しかし、このような測定装置を用いたとしても、被測定者は、単に自分の基礎代謝量や内臓脂肪量が基準値より多いのか少ないのかを知ることしかできない。そのため、このような測定装置を用いたとしても、基礎代謝量、筋肉量、内臓脂肪量および運動量の関係を容易に理解することはできない。
【００１４】
【特許文献１】特開２００２−１７２０９９号公報
【特許文献２】特開２００４−４１８１１号公報
【発明の開示】
【発明が解決しようとする課題】
【００１５】
上述した従来の方法では、基礎代謝量、内臓脂肪量、体重等の値を標準値と比較した結果を示すだけであったため、基礎代謝量、筋肉量、内臓脂肪量および運動量の関係を容易に理解することができないという問題点があった。
【００１６】
本発明の目的は、基礎代謝量、筋肉量、内臓脂肪量および運動量の関係を容易に示すことが可能な基礎代謝量モデルを提供することである。
【課題を解決するための手段】
【００１７】
［基礎代謝量モデル］
上記目的を達成するために、本発明の基礎代謝量モデルは、基礎代謝量の変化を例示した基礎代謝量表示と、筋肉量の変化を例示した筋肉量表示と、内臓脂肪量の変化を例示した内臓脂肪量表示と、運動量の変化を例示した運動量表示が、それぞれ対応付けられて所定の位置に現されている台座部と、
前記基礎代謝量表示を表示するための第１の表示窓と、前記筋肉量表示を表示するための第２の表示窓と、前記内臓量表示を表示するための第３の表示窓と、前記運動量表示を表示するための第４の表示窓とが設けられていて、前記台座部上を移動することにより前記第１および第４の表示窓に表示される基礎代謝量表示、筋肉量表示、内臓脂肪量表示、運動量表示を順次切り替える可動部とを有する。
【００１８】
本発明によれば、可動部が台座上を移動することにより、第１から第４の表示窓に表示される基礎代謝量表示、筋肉量表示、内臓脂肪量表示、運動量表示が順次切り替わるので、基礎代謝量、筋肉量、内臓脂肪量および運動量の関係を視覚的に表示することができ、容易にこれらの関係を把握することが可能になる。
また、本発明の基礎代謝量モデルは、基礎代謝量の変化を例示した基礎代謝量表示と、筋肉量の変化を例示した筋肉量表示と、運動量の変化を例示した運動量表示が、それぞれ対応付けられて所定の位置に現されている表示部と、
可動することにより前記表示部上の基礎代謝量表示、筋肉量表示、運動量表示を指し示す操作手段と、
前記操作手段の位置に応じて可動することにより内臓脂肪量の変化を例示する内臓脂肪量表示手段とを有する。
【００１９】
本発明では、操作手段を移動させることにより、表示部上で指し示される基礎代謝量表示、筋肉量表示、運動量表示が切り替えられ、それとともに内臓脂肪量表示手段により例示される内臓脂肪量も変化する。そのため、本発明によれば、基礎代謝量、筋肉量、内臓脂肪量および運動量の関係を視覚的に表示することができ、容易にこれらの関係を把握することが可能になる。
【００２０】
好ましくは、前記筋肉量表示は、濃度または色彩により赤筋の筋肉量を例示する。
【発明の効果】
【００２１】
以上説明したように、本発明によれば、基礎代謝量、筋肉量、内臓脂肪量および運動量の関係を視覚的に表示することができるため、容易にこれらの関係を把握することが可能になるという効果を得ることができる。
【発明を実施するための最良の形態】
【００２２】
次に、本発明の実施の形態について図面を参照して詳細に説明する。
[第１の実施形態]
図１は本発明の第１の実施形態の基礎代謝量モデルの外観を示す図である。
【００２３】
本実施形態の基礎代謝量モデルは、図１に示されるように、台座部である台紙１０と、この台紙１０上を左右に移動する可動部であるスライド板２０とから構成されている。
【００２４】
次に、図１中の台紙１０の構成を図２に示す。
この台紙１０は、図２に示されるように、基礎代謝量表示１１、筋肉量表示１２、内臓脂肪量表示１３、運動量表示１４が、それぞれ対応付けられて所定の位置に現されている。
【００２５】
基礎代謝量表示１１は、４つのろうそくの絵により構成されていて、基礎代謝量をろうそくの大きさにより例示するものであり、ろうそくの大きさが大きいほど基礎代謝量が多いことを示している。
【００２６】
筋肉量表示１２は、４つの円により構成されていて、筋肉量を円の大きさにより例示するものであり、円が大きいほど筋肉量が多いことを示している。また、筋肉量表示１２の色が濃いほど、赤筋肉量が多いことを示している。
【００２７】
内臓脂肪量表示１３は、ＭＲＩ（Magnetic Resonance Imaging）装置等により得られた腹部の断面図を模式的に表した４つの絵により構成されていて、内臓脂肪量を例示するものである。ここでは、図面中において左方向のものほど内臓脂肪量が多くなるように構成されている。
運動量表示１４は、運動量を例示するものであり、図面中において左方向ほど運動量が多いことを示している。
【００２８】
次に、図１中のスライド板２０の構成を図３に示す。
スライド板２０には、人間の体を模した形状が描かれている。そして、この人間の体を模した形状の頭上には表示窓２１がもうけられ、腕の部分には表示窓２２が設けられ、腹部には表示窓２３が設けられている。
【００２９】
表示窓２１は、図２に示した台紙１０上の４つの基礎代謝量表示１１のうちのいずれか１つを表示するよう所定の位置に設けられている。また、表示窓２２は、同様に４つの筋肉量表示１２のうちのいずれか１つを表示するよう所定の位置に設けられている。また、表示窓２３は、同様に４つの内臓脂肪量表示１３のうちのいずれか１つを表示するよう所定の位置に設けられている。
【００３０】
さらに、スライド板２０には、切欠部２４が設けられており、移動に伴って、図２に示した台紙１０上の運動量表示１４を変化させるように構成されている。
【００３１】
本実施形態では、切欠部２４により運動量表示１４の表示を切り替えるようにしているが、表示窓２１〜２３と同様の開口部を用いて運動量表示１４の表示を切り替えるようにしてもよい。
【００３２】
本実施形態の基礎代謝量モデルには、スライド板２０が台紙１０上を左右に移動することができるような移動手段（図示せず）がさらに設けられている。この移動手段により、スライド板２０は、台紙１０上を上下方向には固定されながら左右方向に移動することが可能となる。
【００３３】
本実施形態の基礎代謝量モデルによれば、スライド板２０を台紙１０上に左右に移動させることにより、表示窓２１〜２３、切欠部１４に表示される基礎代謝量表示１１、筋肉量表示１２、内臓脂肪量表示１３、運動量表示１４がそれぞれ順次切り替わる。
【００３４】
例えば、本実施形態の基礎代謝量モデルを、図１に示した状態からスライド板２０をさらに左方向に移動すると、図４に示すような状態となる。この図４を参照すると、運動量が増加すれば、筋肉量も増加して基礎代謝量が増加し、その結果内臓脂肪量が減少することが分かる。そして、図４に示した状態から、さらに運動量を増加させると、図５に示すように、筋肉量、基礎代謝量が共に増加し、その結果内臓脂肪量がさらに減少することが分かる。
【００３５】
上記で説明したように、本実施形態の基礎代謝量モデルによれば、基礎代謝量、筋肉量、内臓脂肪量および運動量の関係を視覚的に表示することができるため、容易にこれらの関係を把握することが可能となる。
【００３６】
[第２の実施形態]
次に、本発明の第２の実施形態の基礎代謝量モデルについて説明する。図６は本発明の第２の実施形態の基礎代謝量モデルの外観を示す図である。
【００３７】
本実施形態の基礎代謝量モデルは、図６に示されるように、円筒形台座３０と、この円筒形台座３０上を回転する回転部材４０とから構成されている。
【００３８】
次に、図６中の円筒形台座３０の構成を図７に示す。
この円筒形台座３０は、図７に示されるように、基礎代謝量表示３１、筋肉量表示３２、内臓脂肪量表示３３、運動量表示３４が、それぞれ対応付けられて所定の位置に現されている。
【００３９】
基礎代謝量表示３１、筋肉量表示３２、内臓脂肪量表示３３は、図２に示した第１の実施形態における基礎代謝量表示１１、筋肉量表示１２、内臓脂肪量表示１３と同様であるため、その説明は省略する。
【００４０】
そして、本実施形態における円筒形台座３０の運動量表示３４は、運動量を例示する矢印であり、回転部材４０と円筒形台座との距離が離れるほど運動量が多いことを示している。
【００４１】
次に、図６中の回転部材４０の構成を図８に示す。
回転部材４０は、円筒形台座３０上を回転する可動部として機能する。そして、回転部材４０には、人間の体を模した形状が描かれている。さらに、この人間の体を模した形状の、頭上の左斜め上には表示窓４１がもうけられ、腕の部分には表示窓４２が設けられ、腹部には表示窓４３が設けられている。
【００４２】
表示窓４１は、図７に示した円筒形台座３０上の基礎代謝量表示３１のうちのいずれか１つを表示するよう所定の位置に設けられている。また、表示窓４２は、同様に円筒形台座３０上の筋肉量表示３２のうちのいずれか１つを表示するよう所定の位置に設けられている。また、表示窓４３は、同様に円筒形台座３０上の内臓脂肪量表示３３のうちのいずれか１つを表示するよう所定の位置に設けられている。
【００４３】
そして、本実施形態の基礎代謝量モデルには、回転部材４０が回転することにより円筒形台座３０上を螺旋状に移動するような移動手段（図示せず）がさらに設けられている。この移動手段により、回転部材４０は、回転することにより円筒形台座３０上を螺旋状に移動する。つまり、回転部材４０が回転することにより、円筒形台座３０との距離が離れ、運動量表示３４の運動量が変化するように構成されている。
【００４４】
本実施形態の基礎代謝量モデルによれば、回転部材４０を円筒形台座３０上で回転させることにより、表示窓４１〜４３および回転部材４０と円筒形台座３０との間に表示される基礎代謝量表示３１、筋肉用表示３２、内臓脂肪量表示３３、運動量表示３４がそれぞれ順次切り替わる。
【００４５】
そのため、本実施形態の基礎代謝量モデルによれば、上記で説明した第１の実施形態の基礎代謝量モデルと同様に、基礎代謝量、筋肉量、内臓脂肪量および運動量の関係を視覚的に表示することができるため、容易にこれらの関係を把握することが可能となる。
【００４６】
[第３の実施形態]
次に、本発明の第３の実施形態の基礎代謝量モデルについて説明する。図９は本発明の第３の実施形態の基礎代謝量モデルの外観を示す斜視図である。
【００４７】
本実施形態の基礎代謝量モデルは、図９に示されるように、上蓋５０が台座６０上に形成された構成となっている。そして、上蓋５０には、表示窓５５が構成され、台座６０上に構成された内臓脂肪量モデルが見えるようになっている。内臓脂肪量モデルは、内臓脂肪量の変化を例示する内臓脂肪量表示手段として機能する。さらに、上蓋５０の表示窓５５の下にはスリットが設けられていて、このスリットに沿って操作手段であるハンドル５３が可動できるような構成となっている。
【００４８】
また、表示部としても機能する上蓋５０には、ハンドル５３の左右に基礎代謝量表示５１、筋肉量表示５２、運動量表示５４が現されている。このような構成となっていることにより、ハンドル５３の位置に応じて、運動量、筋肉量、基礎代謝量が指し示される。
【００４９】
次に、図９中の台座６０の構成を図１０に示す。
本実施形態の基礎代謝量モデルにおける台座６０上には、楕円枠部材６１と、スポンジ等の弾性部材６２、固定ピン６３、位置決めピン６４、６５が設けられている。
【００５０】
弾性部材６２は、楕円枠部材６１内に設けられていて、楕円枠部材６１と接していない側が固定ピン６３により台座６０上固定されている。
【００５１】
位置決めピン６４、６５は、楕円枠部材６１が弾性部材６２の弾力により上側にずれないように位置を固定している。この位置決めピン６４、６５により、楕円枠部材６１は、上側方向への移動は制限され、下側方向にのみ移動可能となっている。
【００５２】
なお、楕円枠部材６１の弾性部材６２が接していない一端は、ハンドル５３と固定されている。
【００５３】
なお、楕円枠部材６１の一端には腹部の一部を示す部材が貼り付けてあるが、ここでは構成を理解し易くするためこの部材は省略して説明を行う。
【００５４】
このような構成となっていることによりハンドル５３が、図１１に示すように下方向に操作された場合、弾性部材６２は圧縮され楕円枠部材６１は下方向に移動する。そして、ハンドル５３に対する操作が行われなくなると、楕円枠部材６１は弾性部材６２の弾力により、位置決めピン６４、６５により決められる位置まで戻る。そのため、ハンドル５３も元の位置に戻ることになる。
【００５５】
本実施形態の基礎代謝量モデルによれば、このような構成となっていることにより、ハンドル５３の位置を図１２に示すように上側にした場合、表示窓５５からは内臓脂肪量が多い場合の腹部の断面図が模式的に表示される。そして、ハンドル５３の位置を図１３に示すように下側にした場合、表示窓５５からは内臓脂肪量が少ない場合の腹部の断面図が模式的に表示される。
【００５６】
本実施形態の基礎代謝量モデルによれば、ハンドル５３を操作することにより、ハンドル５３が指し示す基礎代謝量表示５１、筋肉量表示５２、運動量表示５４が変化するとともに表示窓５５に表示される内臓脂肪量モデルが変化する。
【００５７】
そのため、本実施形態の基礎代謝量モデルによれば、上記で説明した第１および第２の実施形態の基礎代謝量モデルと同様に、基礎代謝量、筋肉量、内臓脂肪量および運動量の関係を視覚的に表示することができるため、容易にこれらの関係を把握することが可能となる。
【００５８】
[変形例]
上記実施形態では、物理的に構成された基礎代謝量モデルにより、運動量、筋肉量、基礎代謝量、内臓脂肪量の関係を視覚により示すものであった。しかし、本発明はこれに限定されるものではなく、上記の実施形態で示したような基礎代謝量モデルを、Ｗｅｂページ上で仮想的に表示するようにしてもよい。そして、このような仮想的な基礎代謝量モデルを、Ｗｅｂページ上単に表示するだけではなく、マウス等のデバイスにより実際の操作と同じ操作を可能にすれば、上記の実施形態と同様な効果を得ることができる。
【００５９】
また、上記実施形態において用いた、運動量表示、筋肉量表示、基礎代謝量表示、内臓脂肪量表示は一例であり、運動量、筋肉量、基礎代謝量、内臓脂肪量の関係がわかりさせすれば、どのような形態の表示方法を用いてもよい。
【００６０】
さらに、上記実施形態では、筋肉量表示の濃度により赤筋の筋肉量を例示していたが、色彩を用いて赤筋の筋肉量を例示するようにしてもよい。
【図面の簡単な説明】
【００６１】
【図１】本発明の第１の実施形態の基礎代謝量モデルの外観を示す図である。
【図２】図１中の台紙１０の構成を示す図である。
【図３】図１中のスライド板２０の構成を示す図である。
【図４】本発明の第１の実施形態の基礎代謝量モデルにおける、スライド板２０を移動させた場合の外観を示す図である。
【図５】本発明の第１の実施形態の基礎代謝量モデルにおける、スライド板２０をさらに移動させた場合の外観を示す図である。
【図６】本発明の第２の実施形態の基礎代謝量モデルの外観を示す斜視図である。
【図７】図６中の円筒形台座３０の構成を示す図である。
【図８】図６中の回転部材４０の構成を示す図である。
【図９】本発明の第３の実施形態の基礎代謝量モデルの外観を示す斜視図である。
【図１０】図９中の台座９０の構成を示す図である。
【図１１】図９中の台座９０の動作を説明するための図である。
【図１２】本発明の第３の実施形態の基礎代謝量モデルにおける、ハンドル５３を上側に移動させた場合の外観を示す図である。
【図１３】本発明の第３の実施形態の基礎代謝量モデルにおける、ハンドル５３を下側に移動させた場合の外観を示す図である。
【符号の説明】
【００６２】
１０    台紙
１１    基礎代謝量表示
１２    筋肉量表示
１３    内臓脂肪量表示
１４    運動量表示
２０    スライド板
２１〜２３    表示窓
２４    切欠部
３０    円筒形台座
３１    基礎代謝量表示
３２    筋肉量表示
３３    内臓脂肪量表示
３４    運動量表示
４０    回転部材
４１〜４３    表示窓
５０    上蓋
５１    基礎代謝量表示
５２    筋肉量表示
５３    ハンドル
５４    運動量表示
６０    台座
６１    楕円枠部材
６２    弾性部材
６３    固定ピン
６４、６５    位置決めピン
【図１】
2007279496.tif 000003
【図２】
2007279496.tif 000004
【図３】
2007279496.tif 000005
【図４】
2007279496.tif 000006
【図５】
2007279496.tif 000007
【図６】
2007279496.tif 000008
【図７】
2007279496.tif 000009
【図８】
2007279496.tif 000010
【図９】
2007279496.tif 000011
【図１０】
2007279496.tif 000012
【図１１】
2007279496.tif 000013
【図１２】
2007279496.tif 000014
【図１３】
2007279496.tif 000015